(57)【要約】【課題】液状物を別体の容器に収納しながらも液状物を密閉でき、別体の容器を掴みやすくした食品容器を提供する。【解決手段】本発明の食品容器１は、容器本体２とそれを被覆する一枚の蓋４とを備え、容器本体２に主収納凹部２１と縁部３１に突片状の摘み部３２を有する補助容器３を収納可能な副収納凹部２２とを少なくとも形成してあり、副収納凹部２２は、縁部２６内側に前記蓋４に形成した嵌合部４２と密閉して嵌合可能な被嵌合部２８を形成してあり、前記摘み部３２は、前記嵌合部４２と前記被嵌合部２８とを嵌合した際、この間に挟み込まれて先端が副収納凹部２２外に位置することを特徴とする。【選択図】図４
2010105673.tif 000002
【特許請求の範囲】
【請求項１】
容器本体とそれを被覆する一枚の蓋とを備え、容器本体に主収納凹部と縁部に突片状の摘み部を有する補助容器を収納可能な副収納凹部とを少なくとも形成してあり、副収納凹部は、縁部に前記蓋に形成した嵌合部と密閉状態に嵌合可能な被嵌合部を形成してあり、前記摘み部は、前記嵌合部と前記被嵌合部とを嵌合した際、この間に挟み込まれつつ先端が副収納凹部外に位置する食品容器。
【請求項２】
前記被嵌合部は、副収納凹部の縁部周囲を湾曲状に凹ませて形成してある請求項１に記載の食品容器。
【発明の詳細な説明】
【技術分野】
【０００１】
本発明は、食品、特にカレールーなどの液状物を収納するのに適した食品容器に関する。
【背景技術】
【０００２】
カレーなどのように御飯の上にカレールーなどの液状物をかけた食品を容器に収納する際、予めカレールーを御飯の上にかけておくことがある。このようにすると、御飯がカレールーの水分を吸収してふやけてしまい、食感がよくないものとなっていた。
また、二つの収納部を形成した容器に、御飯とカレールーとを別々に収納することがある。このように分別して収容することにより、御飯はふやけることがないが、食するときにカレールーをスプーンなどで少量掬い、御飯にかけなければならず、面倒な作業を必要とするものであった。
【０００３】
そこで、カレールー用に別体の容器をさらに収納しておき、食するときは別体の容器を持ち上げて、カレールーを御飯の上にかけられるようにした容器が開発されている（下記特許文献１及び２参照）。
【０００４】
【特許文献１】実開平６−８１９８８号公報（請求項１，図３など）
【特許文献２】実公平４−１５６４５号公報（請求項１，第２図など）
【発明の開示】
【発明が解決しようとする課題】
【０００５】
しかし、上記のように別体の容器を収納した容器は、カレールーが液状物であるため、容器を運搬する際に、カレールーが流出しやすく、容器の縁や周面などに付着してしまい、容器を掴むときに手を汚すことがあった。
【０００６】
そこで、本発明の目的は、カレールーなどの液状物を別体の容器に収納しながらも密閉でき、別体の容器を持ち上げやすくした食品容器を提供することにある。
【課題を解決するための手段】
【０００７】
本発明の食品容器は、容器本体と容器本体を被覆する一枚の蓋とを備え、容器本体に主収納凹部と縁部に突片状の摘み部を有する補助容器を収納可能な副収納凹部とを少なくとも形成してあり、副収納凹部は、縁部に前記蓋に形成した嵌合部と密閉状態に嵌合可能な被嵌合部を形成してあり、前記摘み部は、前記嵌合部と前記被嵌合部とを嵌合した際、この間に挟み込まれつつ先端が副収納凹部外に位置することを特徴とする。
【０００８】
このような構成とすることにより、副収納凹部に補助容器を収納して密閉することができ、補助容器は、突片状の摘み部の先端を副収納凹部外に位置させて収納することができるので、摘み部の先端にはカレールーなどが付着することがなく、摘み部を摘み、手を汚すことなく持ち上げることができ、カレールーなどを御飯などの上にかけることができる。
【０００９】
前記被嵌合部は、副収納凹部の縁部周囲に形成するのが好ましい。
【００１０】
このような構成とすることにより、カレールーなどの液状物を密閉しやすくなる。
【発明を実施するための最良の形態】
【００１１】
以下、本発明の食品容器の一実施形態を、図面に基づいて説明する。
図１は本発明の一実施形態の食品容器の斜視図、図２は図１の食品容器の断面図、図３は補助容器を副収納凹部に収納したときの摘み部付近の断面図、図４は摘み部付近の拡大斜視図である。
【００１２】
本発明の一実施形態の食品容器１は、図１に示すように、容器本体２と補助容器３と蓋４とを備えている。
食品容器１は、例えば、ポリスチレン系樹脂シート、ポリエチレン系樹脂シート、ポリプロピレン系樹脂シート、ポリエチレンテレフタレート系樹脂シートなどの熱可塑性樹脂シートを、真空成形、圧空成形、真空圧空成形、熱板成形などの熱成形をして製造することができ、容器本体２及び補助容器３は、白色、黒色など有色であるのが好ましく、蓋４は、透明乃至半透明などの無色であるのが好ましい。
【００１３】
容器本体２は、平面視において四辺を外側に膨らませた変形矩形状に形成してあり、主収納凹部２１と副収納凹部２２とを凹ませて形成してある。
主収納凹部２１は、三日月状に凹陥させて形成してあり、御飯、麺類などの主食を収納することができ、一端側には他の部位よりも浅く三角形状に凹ませた補助収納凹部２３が形成してあり、お惣菜、漬物、薬味、醤油、ソースなどを収納することができる。
主収納凹部２１の長手円弧側縁部２４には、図２に示すように、内面側から外面側に湾曲状に凹ました被係止部２５が形成してある。
【００１４】
副収納凹部２２は、主収納凹部２１に隣接させ、扁平楕円状に凹陥させて形成してあり、補助容器３を収納できるようにしてある。縁部２６の一端側には、図３又は図４に示すように、内面と上面とを連ねる傾斜面の挟み込み部２７が形成してあり、縁部２６の他の部分には、内面側から外面側に湾曲状に凹ました被嵌合部２８が周方向に形成してある。
【００１５】
補助容器３は、副収納凹部２２に収納した際、縁部３１が被嵌合部２８よりも下方になる高さとし、副収納凹部２２に略隙間なく収納することができる形状としてあり、カレールー、ミートソースなど主に液状物を収納できるようにしてある。補助容器３の縁部３１の一端側には、先端を円弧状にした突片状の摘み部３２が形成してある。
摘み部３２は、図３又は図４に示すように、補助容器３を副収納凹部２２に収納した際、挟み込み部２７上に載るように形成してあり、挟み込み部２７や容器本体２の上面に沿い折れ曲がる薄片状に形成してある。
【００１６】
蓋４は、図１又は図２に示すように、容器本体２を被覆するものであり、主収納凹部２１及び副収納凹部２２に対応する部分を上方に膨出させるとともに、主収納凹部２１に対応する部分の長手円弧側を下方に細溝状に凹ませ、その下端側に、外側に湾曲状に膨出させた係止部４１が形成してあり、被係止部２５に係止できるようにしてある。また、副収納凹部２２に対応する部分の周囲を下方に細溝状に凹ませ、その下端側に、外側に湾曲状に膨出させた嵌合部４２が形成してあり、被嵌合部２８に嵌合できるようにしてある。
【００１７】
食品容器１を、被覆する際は、補助容器３を、摘み部３２を挟み込み部２７上の載せながら副収納凹部２２に収納し、次に、蓋４を、係止部４１を被係止部２５に係止させながら嵌合部４２を被嵌合部２８に嵌合させる。このとき、摘み部３２は嵌合部４２と被嵌合部２８との間に挟み込まれ、先端が副収納凹部２２の外に位置するように嵌合させる。
【００１８】
食品容器１では、補助容器３は、副収納凹部２２内に収納され、副収納凹部２２は、嵌合部４２と被嵌合部２８とで密閉され、摘み部３２は、挟み込み部２７と嵌合部４２とで隙間なく挟み込まれているので、補助容器３内に収納した液状物は外に流出することはない。また、摘み部３２の先端は、副収納凹部２２の外に位置しているので、液状物が付着することがない。そのため、食品容器１が運搬などにより揺れたとしても、摘み部３２は液状物の付着がなく、補助容器３を持ち上げるときに手を汚すことがない。
【００１９】
上記実施形態の構成態様は、本発明を限定するものとして挙げたものではなく、技術目的を共通にするかぎり変更は可能であり、本発明はそのような変更を含むものである。
【図面の簡単な説明】
【００２０】
【図１】本発明の一実施形態の食品容器の斜視図である。
【図２】図１の食品容器の断面図である。
【図３】図１の食品容器において補助容器を副収納凹部に備えたときの摘み部付近の断面図である。
【図４】図１の食品容器において補助容器を副収納凹部に備えたときの摘み部付近の拡大斜視図である。
【符号の説明】
【００２１】
１食品容器  ２容器本体  ２１主収納凹部  ２２副収納凹部  ２３補助収納凹部  ２４縁部  ２５被係止部  ２６縁部  ２７挟み込み部  ２８被嵌合部  ３補助容器  ３１縁部  ３２摘み部  ４蓋  ４１係止部  ４２嵌合部
【図１】
2010105673.tif 000003
【図２】
2010105673.tif 000004
【図３】
2010105673.tif 000005
【図４】
2010105673.tif 000006